(57)【要約】【課題】商品販売データ処理装置において、利便性を向上させて、簡単に高額紙幣の枚数を管理する。【解決手段】商品の売上処理を実行する商品販売データ処理装置としてのＰＯＳ端末は、万券利用キーと、一取引終了から次の取引開始までの間の万券利用キーの押下による万券登録宣言によって（Ｓ３１のＹ）一取引終了から次の取引開始までの間に万券登録を実行する第１の高額紙幣登録実行手段（Ｓ３８）とを備える。これにより、一取引終了から次の取引開始までの間に万券登録を実行することが可能になり、さらに、両替時にも高額紙幣登録を実行することが可能になるので、利便性を向上させることができ、簡単に高額紙幣の枚数を管理することができる。【選択図】　　図５
2004021376.tif 000002
【特許請求の範囲】
【請求項１】
商品の売上処理を実行する商品販売データ処理装置において、
高額紙幣利用キーと、
一取引終了から次の取引開始までの間の前記高額紙幣利用キーの押下による高額紙幣登録宣言によって一取引終了から次の取引開始までの間に高額紙幣登録を実行する第１の高額紙幣登録実行手段と、
を備えることを特徴とする商品販売データ処理装置。
【請求項２】
高額紙幣キーと、
取引開始から一取引終了までの間の前記高額紙幣キーの押下による高額紙幣登録宣言によって取引開始から一取引終了までの間に高額紙幣登録を実行する第２の高額紙幣登録実行手段と、
前記第２の高額紙幣登録実行手段による取引開始から一取引終了までの間の高額紙幣登録の実行済み状態に応じて、前記第１の高額紙幣登録実行手段による一取引終了から次の取引開始までの間の高額紙幣登録の実行を止める高額紙幣登録停止手段と、
を備えることを特徴とする請求項１記載の商品販売データ処理装置。
【請求項３】
高額紙幣登録変更キーと、
一取引終了から次の取引開始までの間の前記高額紙幣登録変更キーの押下による高額紙幣登録変更宣言によって、高額紙幣登録の実行により登録された高額紙幣数を一取引終了から次の取引開始までの間に変更する高額紙幣登録変更手段と、
を備えることを特徴とする請求項１又は２記載の商品販売データ処理装置。
【請求項４】
前記高額紙幣利用キーと前記高額紙幣キーとは共通のキーであることを特徴とする請求項２又は３記載の商品販売データ処理装置。
【発明の詳細な説明】
【０００１】
【発明の属する技術分野】
本発明は、商品販売データ処理装置に関する。
【０００２】
【従来の技術】
ＥＣＲ（Ｅｌｅｃｔｒｏｎｉｃ　Ｃａｓｈ　Ｒｅｇｉｓｔｅｒ）やＰＯＳ（Ｐｏｉｎｔ　ｏｆ　Ｓａｌｅ　Ｓｙｓｔｅｍ）端末等の商品販売データ処理装置は、一般的に、万券登録機能を備えている。この万券登録機能というのは、取引があった高額紙幣としての１万円札の枚数（万券数）を登録する万券登録を実行する機能である。つまり、顧客が現金によって代金を支払う場合にはキャッシャーである操作者が預り金額を入力するが、この際、顧客によって差し出された１万円札の枚数を置数キーと称されるキーを押下して置数し、続いて万券キーと称されるキーを押下し、その後、置数キーを押下して１万円未満の端数を入力する、という手順で預り金額の入力を行う。そして、このような手順で預り金額の入力が行われると、取引があった１万円札の枚数は所定の記憶領域に設定される。
【０００３】
これにより、ドロワ内に収納されている１万円札の枚数が明確になり、記憶領域に設定された１万円札の枚数と現実にドロワ内に収納されている１万円札の枚数とを照合することで、犯罪発生の有無を容易に知ることができる。また、このような万券登録機能は、犯罪に対する抑止力として働く。したがって、万券登録機能を備える商品販売データ処理装置が用いられている店舗では、１万円札の枚数を管理するために万券キーを使用することを操作者に指導している。
【０００４】
【発明が解決しようとする課題】
しかしながら、万券キーの押下によって万券登録を実行することができるのは、顧客からの預り金額を入力する場面においてのみである。例えば、売上合計金額が２２，０００円であった場合に、顧客から２５，０００円預かったとすると、通常、操作者は「２」と置数して万券キーを押下し、「５０００」と置数して、預り金額を入力するための操作を行い、その後、顧客に３，０００円の釣銭やレシート等を手渡す。このとき、操作者は、顧客を待たせないように素早く入力操作を行うので、２０，０００円を「２００００」と置数して、万券キーを押下することを忘れてしまうことがある。このように万券キーの押下を忘れてしまうと、取引後に万券キーを押下しても万券登録を実行することができないので、万券登録を実行する機会は二度となくなる。
【０００５】
このような万券キーの押下忘れは一取引毎に同じ入力操作を繰り返す操作者によって発生しやすい事柄であるため、一取引後に万券キーの押下によって万券登録を実行できないことは、１万円札の枚数管理を困難にする要因となり、さらに利便性を低下させる要因にもなり問題である。また、顧客から両替のために１万円札を預かった場合にも、万券キーの押下によって万券登録を実行することができないので、両替における１万円札の枚数管理はできないという問題もある。
【０００６】
本発明の目的は、利便性を向上させることができ、簡単に高額紙幣の枚数を管理することができる商品販売データ処理装置を提供することである。
【０００７】
【課題を解決するための手段】
本発明は、商品の売上処理を実行する商品販売データ処理装置（例えばＰＯＳ端末）において、高額紙幣利用キー（例えば万券利用キー）と、一取引終了から次の取引開始までの間の前記高額紙幣利用キーの押下による高額紙幣登録宣言（例えば万券登録宣言）によって一取引終了から次の取引開始までの間に高額紙幣登録（例えば万券登録）を実行する第１の高額紙幣登録実行手段と、を備える。
【０００８】
したがって、一取引終了から次の取引開始までの間の高額紙幣利用キーの押下により一取引終了から次の取引開始までの間に高額紙幣登録を実行するようにしたことによって、一取引終了から次の取引開始までの間に高額紙幣登録を実行することが可能になり、さらに、両替時にも高額紙幣登録を実行することが可能になる。
【０００９】
【発明の実施の形態】
本発明の実施の一形態を図１ないし図５に基づいて説明する。本実施の形態は、商品販売データ処理装置をＰＯＳ端末１に適用した一例である。
【００１０】
図１は操作者側から見たＰＯＳ端末１を示す外観斜視図である。図１に示すように、ＰＯＳ端末１は、ドロワ２上に載置されており、このドロワ２の引出し３の開閉を制御する。このＰＯＳ端末１は、上面に操作者の操作を受け付ける操作領域を備え、この操作領域には、各種のキーが集合するキーボード４、図示しない鍵によって切り換え操作されるコントロールキー５、レシートを排出するレシート発行口６が設けられている。操作者から見て、キーボード４及びコントロールキー５は右側の領域、レシート発行口６は左側の領域にそれぞれ配置されている。
【００１１】
また、ＰＯＳ端末１の右側上方には、操作者側の表示器として機能するディスプレイ７が配置され、操作者から見てこのディスプレイ７の奥側には、顧客側の表示器として機能するディスプレイ８が設けられている。このディスプレイ８は、立っている顧客が見やすい角度で傾斜している。さらに、ＰＯＳ端末１には、商品コード等のバーコードを光学的に読み取るためのバーコードスキャナ９が接続されている。
【００１２】
図２はキーボードを示す平面図である。図２に示すように、キーボード４には、商品コードや金額等を入力するための置数キー４ａ、売上合計金額の算出等を宣言するための小計キー４ｂ、取引開始から一取引終了までの間の現金取引による締めを宣言するための預／現計キー４ｃ、取引開始から一取引終了までの間の万券登録を宣言するための万券キー４ｄ、一取引終了から次の取引開始までの間の万券登録を宣言するための万券利用キー４ｅ、万券登録の取消を宣言するための万券取消キー４ｆ、万券数の変更を宣言するための万券変更キー４ｇ、万券登録取消や万券数変更等の処理からの離脱を宣言するためのキャンセルキー４ｈ等が設けられている。なお、万券キー４ｄが高額紙幣キーとして機能し、万券利用キー４ｅが高額紙幣利用キーとして機能する。さらに、万券取消キー４ｆと万券変更キー４ｇとが高額紙幣登録変更キーとして機能する。
【００１３】
次に、ＰＯＳ端末１が備える各部の電気的接続を図３に基づいて説明する。ここで、図３はＰＯＳ端末１が備える各部の電気的接続を概略的に示すブロック図である。図３に示すように、ＰＯＳ端末１は、マイクロコンピュータ（Ｍｉｃｒｏｃｏｍｐｕｔｅｒ：以下、マイコンという）１０を内蔵し、このマイコン１０が各部を駆動制御する。マイコン１０は、各部を集中的に制御するＣＰＵ（Ｃｅｎｔｒａｌ　Ｐｒｏｃｅｓｓｉｎｇ　Ｕｎｉｔ）１１に、アドレスバス、データバス等のバスライン１２を介して、起動プログラム等の固定的データを予め格納するＲＯＭ（Ｒｅａｄ　Ｏｎｌｙ　Ｍｅｍｏｒｙ）１３と売上バッファや印字バッファ等の各種バッファを構成して各種データを書き換え自在に格納するワークエリアとして機能するＲＡＭ（Ｒａｎｄｏｍ　Ａｃｃｅｓｓ　Ｍｅｍｏｒｙ）１４とが接続されて構成されている。
【００１４】
なお、ＲＡＭ１４はバッテリ（図示せず）によってバックアップされており、その内部には、預り金額を算出するための置数ｎを格納する置数エリア及び万券エリア、加算される前の万券数Ｍを万券元数Ｍ０として格納する万券元数エリア、万券数Ｍを格納する万券数エリア等の複数の記憶エリアが設けられている。
【００１５】
また、ＰＯＳ端末１はＨＤＤ１５を内蔵しており、このＨＤＤ１５はマイコン１０によって駆動制御される。ＨＤＤ１５は、ＨＤＤ制御回路１６を介してバスライン１２に接続されており、制御プログラム、商品マスタファイル、売上ファイル、万券登録ファイル等を格納している。商品マスタファイルは、ＰＬＵ（Ｐｒｉｃｅ　Ｌｏｏｋ　ｕｐ　）ファイル構成のファイル構造を持ち、各商品を特定する商品コード（ＪＡＮコード等）毎にその商品に関する単価等の商品データを可変自在に記憶保持している。
【００１６】
なお、ＰＯＳ端末１の起動時には、ＨＤＤ１５に格納された制御プログラムがＲＡＭ１４に書き込まれ、これによってマイコン１０による各部の駆動制御が可能な状態となる。次いで、マイコン１０によって駆動制御される各部を説明する。
【００１７】
キーボード４は、キーボード入力回路１７を介してバスライン１２に接続され、キーボード入力回路１７の動作によって、操作されたキーに応じた信号をマイコン１０に入力する。
【００１８】
コントロールキー５は、コントロールキー入力回路１８を介してバスライン１２に接続され、コントロールキー入力回路１８の動作によって、切り換え位置に応じた信号をマイコン１０に入力する。マイコン１０は、コントロールキー５の出力信号に応じて、ＰＯＳ端末１の動作モードを登録モード、設定モード、精算モード、点検モード等の各業務モードに設定する。
【００１９】
ディスプレイ７，８は、表示制御回路１９を介してバスライン１２に接続され、マイコン１０からの表示データが表示制御回路１９に入力されると、表示制御回路１９に駆動されて所定事項を表示する。
【００２０】
バーコードスキャナ９は、スキャナ入力回路２０を介してバスライン１２に接続され、スキャナ入力回路２０の動作によって、読み取った商品コードのデータをマイコン１０に送信する。
【００２１】
また、ＰＯＳ端末１はプリンタ２１を内蔵しており、このプリンタ２１はマイコン１０によって駆動制御される。プリンタ２１は、プリンタ制御回路２２を介してバスライン１２に接続され、マイコン１０からの印字データがプリンタ制御回路２２に入力されると、プリンタ制御回路２２に駆動されてレシート用紙に所定事項を印字する。さらに、プリンタ２１には、カッタ部（図示せず）が内蔵されている。このカッタ部は、マイコン１０によって駆動制御され、レシート用紙を所定の位置において切断し、レシートとしてレシート発行口６から発行する。
【００２２】
ＰＯＳ端末１とは別体で設けられたドロワ２も、マイコン１０によって駆動制御される。ドロワ２は、ドロワ制御回路２３を介してバスライン１２に接続され、マイコン１０からの開放信号に応じてドロワ制御回路２３が駆動されてドロワ２の引出し３の開放を行う。
【００２３】
このような構成において、ＰＯＳ端末１のＨＤＤ１５に格納されたプログラムがマイコン１０に実行させる処理について説明する。なお、本実施の形態においては、従来のＰＯＳ端末によって行われる処理と同様の処理については説明を省略する。
【００２４】
登録モードにおいて実行される万券登録処理を図４及び図５に基づいて説明する。ここで、図４は、取引開始から一取引終了までの間に実行される万券登録処理の流れを概略的に示すフローチャート、図５は、一取引終了から次の取引開始までの間に実行される万券登録処理の流れを概略的に示すフローチャートである。
【００２５】
なお、本実施の形態において、取引開始から一取引終了までの間としては、商品コードの入力から締め処理の終了までであり、一取引終了から次の取引開始までの間としては、締め処理の終了から商品コードの入力までであるが、これに限るものではない。
【００２６】
取引開始から一取引終了までの間に実行される万券登録処理は、コントロールキー５の操作によって登録モードに設定されていることを条件として実行される。図４に示すように、まず、万券登録処理は、バーコードスキャナ９による読み取りや置数キー４ａ等による商品コードの入力に待機する（ステップＳ１のＮ）。商品コードが入力されると（Ｓ１のＹ）、入力された商品コードに基づいてＨＤＤ１５の商品マスタファイルを検索するとともに、数量の入力によって確定する商品の売上処理データをＲＡＭ１４の売上バッファやＨＤＤ１５の売上ファイル等に書き込む売上処理を実行する（Ｓ２）。そして、万券登録処理は、キーボード４中の小計キー４ｂが押下されるまで、ステップＳ１及びステップＳ２を繰り返す（Ｓ３のＮ）。
【００２７】
このとき、単価や売上合計金額等は売上処理毎に算出されてディスプレイ７，８に表示されている。操作者は、バーコードスキャナ９や置数キー４ａ等によって購入商品の商品コードを全て入力し、その後、小計キー４ｂを押下する。すると、万券登録処理は、消費税を含む売上合計金額を算出してディスプレイ７，８に表示させる（Ｓ４）。
【００２８】
次に、万券登録処理は置数キー４ａの押下による預り金額の入力に待機する。すなわち、置数キー４ａ、万券キー４ｄ、預／現計キー４ｃの押下の有無を判断する（Ｓ５のＮ，Ｓ６のＮ，Ｓ７のＮ）。
【００２９】
置数キー４ａの押下が有ったと判断した場合には（Ｓ５のＹ）、置数ｎをＲＡＭ１４の置数エリアに格納し（Ｓ８）、ステップＳ５に戻る。
【００３０】
万券キー４ｄの押下が有ったと判断した場合には（Ｓ６のＹ）、まず、置数ｎが０であるか否かを判断し（Ｓ９）、置数ｎが０であった場合には、置数ｎを１に設定する（Ｓ１０）。これにより、置数キー４ａを押下せずに万券キー４ｄのみを押下しても、これは預り金額１万円の入力としてみなされる。
【００３１】
次いで、万券数Ｍを万券元数Ｍ０としてＲＡＭ１４の万券元数エリアに格納し（Ｓ１１）、万券数Ｍに置数ｎを加算してこの加算値を万券数ＭとしてＲＡＭ１４の万券数エリアに格納し（Ｓ１２：第２の高額紙幣登録実行手段）、フラグＦを１にすることで万券登録済み状態に設定する（Ｓ１３）。さらに、置数ｎをＲＡＭ１４の万券エリアに格納し（Ｓ１４）、置数エリアに格納された置数ｎを０にクリアし（Ｓ１５）、ステップＳ５に戻る。
【００３２】
ここで、預り金額の入力が終了すると、操作者は預／現計キー４ｃを押下する。預／現計キー４ｃの押下が有ったと判断した場合には（Ｓ７のＹ）、万券エリアと置数エリアとに格納された置数ｎから預り金額を算出し（Ｓ１６）、その後、万券エリアと置数エリアとに格納された置数ｎを０にクリアし（Ｓ１７）、算出した預り金額が売上合計金額以上であるか否かを判断する（Ｓ１８）。
【００３３】
預り金額が売上合計金額以上でないと判断した場合には（Ｓ１８のＮ）、入力エラーをディスプレイ７に表示させ（Ｓ１９）、ステップＳ５に戻る。預り金額が売上合計金額以上であると判断した場合には（Ｓ１８のＹ）、預り金額から売上合計金額を減算することによる釣銭の算出、ＨＤＤ１５の売上ファイル等に対する売上処理データの書き込み、レシートをレシート発行口６から発行するレシート発行等の締め処理を実行し（Ｓ２０）、万券登録処理が終了する。
【００３４】
ここで、例えば預り金額が２，５００円であった場合には、操作者は置数キー４ａの押下によって「２５００」と置数して、預／現計キー４ｃを押下する。このとき、万券登録処理は、ステップＳ５で置数キー４ａの押下が有ったと判断し（Ｓ５のＹ）、置数ｎとして「２５００」を置数エリアに格納する（Ｓ８）。次いで、ステップＳ７で預／現キーの押下が有ったと判断し（Ｓ７のＹ）、置数エリアに格納された置数「２５００」から預り金額を２５００円として算出する（Ｓ１６）。
【００３５】
また、例えば預り金額が２５，０００円であった場合には、操作者は置数キー４ａの押下によって「２」と置数して万券キー４ｄを押下し、「５０００」と置数し、預／現計キー４ｃを押下する。このとき、万券登録処理は、ステップＳ５で置数キー４ａの押下が有ったと判断し（Ｓ５のＹ）、置数ｎとして「２」を置数エリアに格納する（Ｓ８）。次いで、ステップＳ６で万券キー４ｄの押下が有ったと判断し（Ｓ６のＹ）、万券数Ｍを万券元数Ｍ０として万券元数エリアに格納し（Ｓ１１）、万券数Ｍに置数「２」を加算してこの加算値を万券数Ｍとして万券数エリアに格納し（Ｓ１２）、フラグＦを１にして万券登録済み状態に設定する（Ｓ１３）。そして、置数「２」を万券エリアに格納し（Ｓ１４）、置数エリアに格納された置数「２」を０にクリアし（Ｓ１５）、ステップＳ５に戻る。
【００３６】
再び、ステップＳ５で置数キー４ａの押下が有ったと判断し（Ｓ５のＹ）、置数ｎとして「５０００」を置数エリアに格納する（Ｓ８）。最後に、ステップＳ７で預／現キーの押下が有ったと判断し（Ｓ７のＹ）、万券エリアに格納された置数「２」と置数エリアに格納された置数「５０００」とから預り金額を２，５０００円として算出する（Ｓ１６）。このとき、２×１００００＋５０００＝２５０００という計算が行われる。
【００３７】
一方、操作者が１万円以上の預り金額を入力するときに、顧客から預かった２万円を「２００００」と置数してしまい、万券キー４ｄを押下することを忘れた場合等には、締め処理後、万券利用キー４ｅの押下によって万券登録が実行される。また、１万円札の両替等の場合にも、万券利用キー４ｅの押下によって万券登録が実行される。
【００３８】
図５に示すように、一取引終了から次の取引開始までの間に実行される万券登録処理は、締め処理後から次の取引の開始を示す商品コードの入力があるまで、置数キー４ａの押下及び万券利用キー４ｅの押下に待機する（Ｓ３０のＮ，Ｓ３１のＮ，Ｓ３２のＮ）。
【００３９】
置数キー４ａの押下が有ったと判断した場合には（Ｓ３０のＹ）、置数ｎをＲＡＭ１４の置数エリアに格納する（Ｓ３３）。
【００４０】
万券利用キー４ｅの押下が有ったと判断した場合には（Ｓ３１のＹ）、まず、置数ｎが０であるか否かを判断し（Ｓ３４）、置数ｎが０であると判断した場合には、置数ｎを１に設定する（Ｓ３５）。これにより、置数キー４ａを押下せずに万券利用キー４ｅのみを押下しても、これは預り金額１万円の入力としてみなされる。
【００４１】
次いで、万券登録済み状態か否か、すなわち、フラグＦが１であるか否かを判断する（Ｓ３６：高額紙幣登録停止手段）。万券登録済み状態でないと判断した場合には（Ｓ３６のＮ）、万券数Ｍを万券元数Ｍ０としてＲＡＭ１４の万券元数エリアに格納し（Ｓ３７）、万券数Ｍに置数ｎを加算してこの加算値を万券数ＭとしてＲＡＭ１４の万券数エリアに格納し（Ｓ３８：第１の高額紙幣登録実行手段）、フラグＦを１にすることで万券登録済み状態に設定する（Ｓ３９）。最後に、置数エリアに格納された置数ｎを０にクリアし（Ｓ４０）、万券登録処理が終了する。
【００４２】
万券登録済み状態であると判断した場合には（Ｓ３６のＹ）、ディスプレイ７にガイダンスを表示させる（Ｓ４１）。このガイダンスとしては、万券登録を取り消す場合には万券取消キー４ｆの押下や登録された万券数Ｍを変更する場合には万券変更キー４ｇの押下等を促すためのガイダンスである。
【００４３】
次に、万券登録処理は、万券取消キー４ｆ、万券変更キー４ｇ、キャンセルキー４ｈの押下に待機する（Ｓ４２のＮ，Ｓ４３のＮ，Ｓ４４のＮ）。
【００４４】
万券取消キー４ｆの押下が有ったと判断した場合には（Ｓ４２のＹ）、万券数Ｍを万券元数Ｍ０に戻し（Ｓ４５：高額紙幣登録変更手段）、フラグＦを０にすることで万券登録済み状態を解除し（Ｓ４６）、最後に、置数エリアに格納された置数ｎを０にクリアし（Ｓ４０）、万券登録処理が終了する。
【００４５】
ここで、例えば、操作者が預り金額１０，０００円を５，０００円札２枚で受け取ったときに間違って万券キー４ｄを押下してしまった場合にも、一取引終了から次の取引開始までの間に万券利用キー４ｅを押下し、ガイダンスに従い万券取消キー４ｆを押下することで、万券数Ｍを元に戻すことができる。
【００４６】
万券変更キー４ｇの押下が有ったと判断した場合には（Ｓ４３のＹ）、万券数Ｍを万券元数Ｍ０に戻し（Ｓ４７）、万券数Ｍに置数ｎを加算してこの加算値を万券数Ｍとして万券数エリアに格納し（Ｓ４８：高額紙幣登録変更手段）、最後に、置数エリアに格納された置数ｎを０にクリアし（Ｓ４０）、万券登録処理が終了する。
【００４７】
ここで、例えば、操作者が預り金額３０，０００円を１万円札２枚と５，０００円札２枚で受け取ったときに間違って置数キー４ａの押下によって「３」と置数して万券キー４ｄを押下してしまった場合にも、一取引終了から次の取引開始までの間に置数キー４ａの押下によって「２」と置数して万券利用キー４ｅを押下し、ガイダンスに従い万券変更キー４ｇを押下することで、万券数Ｍを変更することができる。
【００４８】
キャンセルキー４ｈの押下が有ったと判断した場合には（Ｓ４４のＹ）、万券登録の取消や登録された万券数Ｍの変更等を行わずに、置数エリアに格納された置数ｎを０にクリアし（Ｓ４０）、万券登録処理が終了する。
【００４９】
ステップＳ３２において、商品コードの入力が有ったと判断した場合には（Ｓ３２のＹ）、万券数エリアに格納された万券数ＭをＨＤＤ１５の万券登録ファイルに対して書き込む万券登録ファイル更新処理を実行し（Ｓ４９）、フラグＦを０にすることで万券登録済み状態を解除し（Ｓ５０）、最後に、置数エリアに格納された置数ｎを０にクリアし（Ｓ４０）、万券登録処理が終了する。
【００５０】
ここで、例えば、店舗の営業途中には、コントロールキー５の操作によってＰＯＳ端末１の動作モードが点検モードに設定される。点検モードでは、ＨＤＤ１５の万券登録ファイルに書き込まれた万券数Ｍがディスプレイ７に表示され、これにより、表示された万券数Ｍとドロワ２内に収納された１万円札の枚数を照合することができる。
【００５１】
また、店舗の一日の営業終了後には、コントロールキー５の操作によってＰＯＳ端末１の動作モードが精算モードに設定される。精算モードでは、ＨＤＤ１５の万券登録ファイルに書き込まれた万券数Ｍがプリンタに印字され、これにより、印字された万券数Ｍとドロワ２内に収納された１万円札の枚数を照合することができる。このとき、プリンタによる万券数Ｍの印字が終了すると、万券数エリアに格納された万券数Ｍは０にクリアされる。
【００５２】
なお、本実施の形態では、取引開始から一取引終了までの間に万券キー４ｄの押下によって万券登録を実行し（図４参照）、一取引終了から次の取引開始までの間に万券利用キー４ｅの押下によって万券登録を実行しているが（図５参照）、これに限るものではなく、例えば、取引開始から一取引終了までの間に万券登録を実行しないようにして、一取引終了から次の取引開始までの間でだけ万券登録を実行するようにしても良い。
【００５３】
また、本実施の形態では、一取引終了から次の取引開始までの間に万券登録の実行を宣言するためのキーとして万券利用キー４ｅを設けて使用しているが、これに限るものではなく、例えば万券利用キー４ｅを別個に設けず、万券キー４ｄを兼用しても良い。
【００５４】
また、本実施の形態では、一万円札の枚数（万券数Ｍ）を管理しているが、これに限るものではなく、例えば一万円札以外の高額紙幣（外国の高額紙幣等）を管理しても良い。
【００５５】
このように本実施の形態においては、一取引終了から次の取引開始までの間の万券利用キー４ｅの押下によって一取引終了から次の取引開始までの間に万券登録を実行するようにしたことから、取引開始から一取引終了までの間に万券キー４ｄの押下を忘れても一取引終了から次の取引開始までの間に万券登録を実行することが可能になり、さらに、両替時にも万券登録を実行することが可能になるので、利便性を向上させることができ、簡単に一万円札の枚数を管理することができる。
【００５６】
また、本実施の形態においては、高額紙幣キー、例えば万券キー４ｄと、取引開始から一取引終了までの間の万券キー４ｄの押下による高額紙幣登録宣言、例えば万券登録宣言によって取引開始から一取引終了までの間に高額紙幣登録、例えば万券登録を実行する第２の高額紙幣登録実行手段と、この第２の高額紙幣登録実行手段による取引開始から一取引終了までの間の万券登録の実行済み状態に応じて、第１の高額紙幣登録実行手段による一取引終了から次の取引開始までの間の万券登録の実行を止める高額紙幣登録停止手段とを備えるため、取引開始から一取引終了までの間にも万券登録を実行することができ、利便性が高いＰＯＳ端末１を提供することができる。
【００５７】
また、本実施の形態においては、高額紙幣登録変更キー、例えば万券取消キー４ｆや万券変更キー４ｇと、一取引終了から次の取引開始までの間の万券取消キー４ｆ又は万券変更キー４ｇの押下による高額紙幣登録変更宣言、例えば万券登録変更宣言によって、万券登録の実行により登録された高額紙幣数、例えば万券数Ｍを一取引終了から次の取引開始までの間に変更する高額紙幣登録変更手段とを備えるため、一度万券登録を実行すると万券数Ｍを変更することができないという課題を解決し、万券数Ｍの変更が可能になるので、利便性が高いＰＯＳ端末１を提供することができる。
【００５８】
最後に、本実施の形態においては、万券利用キー４ｅと万券キー４ｄとは共通のキーであるため、どちらか一方を設ける必要が無くなるので、部品数が減り、コストが増加するという課題を解決し、コストの増加を防止することができる。
【００５９】
【発明の効果】
本発明によれば、一取引終了から次の取引開始までの間の高額紙幣利用キーの押下により取引開始から一取引終了までの間に高額紙幣登録を実行するようにしたことによって、一取引終了から次の取引開始までの間に万券登録を実行することが可能になり、さらに、両替時にも高額紙幣登録を実行することが可能になるので、利便性を向上させることができ、簡単に高額紙幣の枚数を管理することができる。
【図面の簡単な説明】
【図１】本発明の実施の一形態の操作者側から見たＰＯＳ端末を示す外観斜視図である。
【図２】キーボードを示す平面図である。
【図３】ＰＯＳ端末が備える各部の電気的接続を概略的に示すブロック図である。
【図４】取引開始から一取引終了までの間に実行される万券登録処理の流れを概略的に示すフローチャートである。
【図５】一取引終了から次の取引開始までの間に実行される万券登録処理の流れを概略的に示すフローチャートである。
【符号の説明】
１…商品販売データ処理装置（ＰＯＳ端末）、４ｄ…高額紙幣キー（万券キー）、４ｅ…高額紙幣利用キー（万券利用キー）、４ｆ，４ｇ…高額紙幣登録変更キー（万券取消キー，万券変更キー）、Ｍ…高額紙幣数（万券数）
【図１】
2004021376.tif 000003
【図２】
2004021376.tif 000004
【図３】
2004021376.tif 000005
【図４】
2004021376.tif 000006
【図５】
2004021376.tif 000007